(57)【特許請求の範囲】
【請求項１】
基材シートと、
この基材シート上に画像パターン状に配置され、赤外線吸収性インキで構成された潜像と、
この潜像に位置合わせして画像パターン状に重ねられた剥離層と、
この剥離層を覆って配置され、赤外線透過性のインキで構成された隠蔽層と、
この隠蔽層に接着して配置された剥離用シートと、
を備えることを特徴とする印刷物。
【請求項２】
前記隠蔽層が潜像と同系色を有することを特徴とする請求項１に記載の印刷物。
【請求項３】
潜像を構成する赤外線吸収性インキが可視光透過性であることを特徴とする請求項１に記載の印刷物。
【請求項４】
前記基材シートが赤外線反射性であることを特徴とする請求項１〜３のいずれかに記載の印刷物。
【請求項５】
前記潜像が機械読み取り可能な画像パターン状であることを特徴とする請求項１〜４のいずれかに記載の印刷物。
【請求項６】
赤外線吸収性インキを使用して、基材シート上に画像パターン状に潜像を印刷する潜像印刷工程、
この潜像に位置合わせして画像パターン状に剥離剤を塗布して剥離層を形成する剥離層形成工程、
赤外線透過性で紫外線硬化型のインキを使用して、この剥離層を覆って隠蔽層を印刷する隠蔽層印刷工程、
紫外線を照射して、前記紫外線硬化型インキを硬化させる隠蔽層硬化工程、
この隠蔽層上に剥離用シートを接着する剥離用シート接着工程、
を具備することを特徴とする印刷物の製造方法。
【請求項７】
赤外線吸収性インキを使用して、基材シート上に画像パターン状に潜像を印刷する潜像印刷工程、
この潜像に位置合わせして画像パターン状に剥離剤を塗布して剥離層を形成する剥離層形成工程、
赤外線透過性で紫外線硬化型のインキを使用して、剥離用シートに隠蔽層を印刷する隠蔽層印刷工程、
前記剥離層と隠蔽層とが対面するように前記基材シートと剥離用シートとを接着して、前記剥離層を隠蔽層で覆う接着工程、
この接着工程の後、紫外線を照射して、前記紫外線硬化型インキを硬化させる隠蔽層硬化工程、
を具備することを特徴とする印刷物の製造方法。
【発明の詳細な説明】
【技術分野】
【０００１】
本発明は、赤外線吸収性インキで構成された潜像と、これを覆う隠蔽層とを有し、その潜像を肉眼で読み取ることができず、赤外線を使用して読み取る印刷物に関する。
【背景技術】
【０００２】
赤外線吸収性の潜像を赤外線透過性の隠蔽層で覆った印刷物は公知である（特許文献１）。このような印刷物は、肉眼によって潜像を読み取ることができないが、赤外線カメラで撮影することにより、潜像を読み取ることができる。このため、この印刷物は、有価証券等に利用して、その真偽を判定する技術として利用されている。
【先行技術文献】
【特許文献】
【０００３】
【特許文献１】特開２０００−３０９７３６号公報
【発明の概要】
【発明が解決しようとする課題】
【０００４】
しかしながら、例えばイベントの入場券や招待券にこの技術を利用した場合には、これら入場券や招待券の真偽を判定するのに使用するのに過ぎず、真偽判定の後には不要となるものであった。
【０００５】
そこで、本発明は、その真偽判定の後に、入場者や催行者の入場管理等に活用できる印刷物を提供することを目的とする。
【課題を解決するための手段】
【０００６】
すなわち、請求項１に記載の発明は、基材シートと、
この基材シート上に画像パターン状に配置され、赤外線吸収性インキで構成された潜像と、
この潜像に位置合わせして画像パターン状に重ねられた剥離層と、
この剥離層を覆って配置され、赤外線透過性のインキで構成された隠蔽層と、
この隠蔽層に接着して配置された剥離用シートと、
を備えることを特徴とする印刷物である。
【０００７】
次に、請求項２に記載の発明は、前記隠蔽層が潜像と同系色を有することを特徴とする請求項１に記載の印刷物である。
【０００８】
また、請求項３に記載の発明は、潜像を構成する赤外線吸収性インキが可視光透過性であることを特徴とする請求項１に記載の印刷物である。
【０００９】
また、請求項４に記載の発明は、前記基材シートが赤外線反射性であることを特徴とする請求項１〜３のいずれかに記載の印刷物である。
【００１０】
また、請求項５に記載の発明は、前記潜像が機械読み取り可能な画像パターン状であることを特徴とする請求項１〜４のいずれかに記載の印刷物である。
【００１１】
また、請求項６に記載の発明は、赤外線吸収性インキを使用して、基材シート上に画像パターン状に潜像を印刷する潜像印刷工程、
この潜像に位置合わせして画像パターン状に剥離剤を塗布して剥離層を形成する剥離層
形成工程、
赤外線透過性で紫外線硬化型のインキを使用して、この剥離層を覆って隠蔽層を印刷する隠蔽層印刷工程、
紫外線を照射して、前記紫外線硬化型インキを硬化させる隠蔽層硬化工程、
この隠蔽層上に剥離用シートを接着する剥離用シート接着工程、
を具備することを特徴とする印刷物の製造方法である。
【００１２】
また、請求項７に記載の発明は、赤外線吸収性インキを使用して、基材シート上に画像パターン状に潜像を印刷する潜像印刷工程、
この潜像に位置合わせして画像パターン状に剥離剤を塗布して剥離層を形成する剥離層形成工程、
赤外線透過性で紫外線硬化型のインキを使用して、剥離用シートに隠蔽層を印刷する隠蔽層印刷工程、
前記剥離層と隠蔽層とが対面するように前記基材シートと剥離用シートとを接着して、前記剥離層を隠蔽層で覆う接着工程、
この接着工程の後、紫外線を照射して、前記紫外線硬化型インキを硬化させる隠蔽層硬化工程、
を具備することを特徴とする印刷物の製造方法である。
【発明の効果】
【００１３】
本発明の印刷物は、赤外線吸収性インキで構成された潜像と、潜像に位置合わせして画像パターン状に重ねられた剥離層とを備えており、しかも、これら両者を覆って隠蔽層と剥離用シートとが配置されている。
【００１４】
そこで、まず、この印刷物をイベント等の入場券や招待券に貼付したときには、赤外線カメラで撮影することにより、潜像を読み取って、その真偽を判定することができる。
【００１５】
こうしてこれら入場券や招待券が真正であることを確認した後には、剥離用シートを剥離することにより、潜像を可視化することが可能である。すなわち、剥離用シートを剥離したときには、潜像には剥離層が位置合わせして重ねられているから、潜像と隠蔽層との間で剥離する。一方、この潜像の周囲には剥離層が存在しないから、剥離用シートと隠蔽層との間で剥離する。
【００１６】
このため、剥離用シートには、潜像の形状に、すなわち、前記画像パターン状の隠蔽層が残存する。この画像パターン状隠蔽層は肉眼で読み取り可能である。こうして画像パターン状隠蔽層が形成された剥離用シートは、入場管理等の目的で使用することができる。
【００１７】
一方、基材シートには、その画像パターン状に潜像と剥離層とが残存しており、また、その周囲には隠蔽層が残存している。このため、例えば赤外線カメラによってその画像パターンを読み取ることができ、この基材シートも入場管理等の目的で使用することができる。なお、潜像を構成する赤外線吸収性インキが可視光透過性である場合には、肉眼で画像パターンを読み取ることもできる。
【図面の簡単な説明】
【００１８】
【図１】図１は本発明の具体例に係り、図１（ａ）はその平面図、図１（ｂ）は図１（ａ）のＸ−Ｘ線における要部断面図である。
【図２】本発明の潜像を読み取る工程の説明図である。
【図３】本発明の剥離用シートを剥離する工程の説明図である。
【図４】剥離後の剥離用シートの画像パターンを読み取る工程の説明図である。
【図５】剥離後の潜像を読み取る工程の説明図である。
【図６】白色紙上に印刷した印刷インキ被膜に光線を照射して、その反射率を測定した分光反射率曲線である。
【発明を実施するための形態】
【００１９】
次に、イベントの入場券を例として本発明の印刷物を説明する。図１（ａ）はその平面図、図１（ｂ）は図１（ａ）のＸ−Ｘ線における要部断面図である。
【００２０】
図１から分かるように、この入場券１は、イベントに関する各種情報が印刷されており、これに加えて基材シート２１上に潜像形成部２が配置されている。この潜像形成部２には、入場券１の基材シート１上に潜像２２が配置されており、この潜像２２は赤外線吸収性インキで構成されている。また、この潜像２２は画像パターン状に配置されている。
【００２１】
基材シート２１としては、赤外線を反射するものが好ましく使用できる。例えば紙である。また、赤外線を透過するシートであってもよい。例えば、ポリエチレンテレフタレートシート、ポリエチレンナフタレートシート、ポリカーボネートシート、ポリ塩化ビニルシート、ポリ塩化ビニリデンシート、ポリスチレンシート、ポリイミドシート、ポリアミドシート、ポリプロピレンシート、発泡ポリプロピレンシート等のプラスチックシートである。厚みは５０〜１００μｍでよい。好ましくは７５μｍ程度である。
【００２２】
また、潜像２２を構成する赤外線吸収性インキとしては、一般に印刷に使用される有彩色のプロセスインキを使用することができる。例えば、カーボンブラックを顔料とする黒色インキを使用である。図６は、白色紙上に印刷した印刷インキ被膜に光線を照射して、その反射率を測定した分光反射率曲線であり、この反射光の中には、印刷インキ被膜による反射光成分のほかに、印刷インキ被膜を透過して白色紙で反射された成分が含まれている。そして、図中、Ａはカーボンブラックを顔料とする一般印刷用の黒色インキ（東洋インキ製造社製ＦＤ  カルトン  ＡＣＥ  墨インキ）の分光反射率曲線を示すものである。
【００２３】
また潜像２２を構成する赤外線吸収性インキとして、可視光透過性のインキを使用することもできる。例えば、錫ドープ酸化インジウム粉を顔料とするインキである。また、熱線吸収ガラスや赤外吸収ガラスを粉砕して顔料としたインキを使用することもできる。
【００２４】
なお、この潜像２２が構成する画像パターンは、この印刷物が真正であることを示すもので、この機能を果たすものであれば任意のパターンでよい。例えば、文字、記号等の画像パターンである。また、バーコードや二次元コードのパターンであれば、その印刷物が真正であることを保障する機能に加えて、各種情報を表示する機能を果たすことができる。二次元コードの例としてはＱＲコード（登録商標）を例示でき、例えば、このＱＲコード(登録商標）によってイベント主催者のＵＲＬ等を表示することができる。
【００２５】
潜像２２はグラビア印刷法、オフセット印刷法等の印刷方法で形成することができる。潜像２２の厚みとしては０．５〜１．０μｍでよい。
【００２６】
次に、この潜像２２の上には、潜像２２と位置合わせして、剥離層２３が画像パターン状に配置されている。剥離層２３は、潜像２２と後述する隠蔽層２４とを剥離容易にする機能を有するもので、例えばシリコーン系剥離剤を使用することができる。また、ポリエチレンワックス等のワックスを使用することもできる。その融点が８０〜１００℃のものが望ましい。融点が８０度未満の場合には、潜像２２と隠蔽層２４との剥離が困難となる場合がある。剥離層２３の厚みは０．５〜３．０μｍでよい。  
【００２７】
そして、これら潜像２２と剥離層２３とを覆って、隠蔽層２４が設けられている。この隠蔽層２４は、可視光を遮断すると共に、赤外線を透過するインキで形成されている必要
がある。また、この隠蔽層２４は、前記剥離層２３から容易に剥離できると共に、基材シート１から剥離し難いものである必要がある。このため、後述するように、剥離用シート２５を基材シート２１から剥離した場合には、この隠蔽層２４は二種類の領域に分断されて、剥離層２３に重畳した領域では剥離用シート２５と共に基材シート２１から剥離する。また、剥離層２３に重畳していない領域、すなわち、隠蔽層２４が基材シート２１に接触している領域では基材シート２１上に残存する。
【００２８】
可視光を遮断し、かつ、赤外線を透過するインキとしては、例えば、ペリレン系黒色顔料を含むインキが例示できる。図６において、Ｂは、白色紙上にペリレン系黒色顔料を含むインキを印刷して、その印刷インキ被膜に光線を照射して、反射率を測定した分光反射率曲線を示すものである。この隠蔽層２４の厚みは１〜６μｍでよい。望ましくは２〜４μｍである。また、このインキとして、紫外線硬化樹脂をバインダーとする紫外線硬化型インキを使用することが望ましい。
【００２９】
そして、この隠蔽層２４の上には、剥離用シート２５が、隠蔽層２４から剥離可能に接着している。剥離用シート２５は赤外線透過性である必要がある。例えば、ポリエチレンテレフタレートシート、ポリエチレンナフタレートシート、ポリプロピレンシート、ポリカーボネートシート、ポリ塩化ビニルシート、ポリ塩化ビニリデンシート、ポリスチレンシート、ポリイミドシート、ポリアミドシート等のプラスチックシートを例示できる。また、セロファン、コンデンサーペーパー、パラフィン紙等であってもよい。厚みは２〜５０μｍでよい。望ましくは２〜１６μｍである。
【００３０】
この入場券１は、様々な工程で製造することができる。
【００３１】
例えば、まず基材シート２１に、順次、潜像２２及び剥離層２３を形成する。次に、可視光を遮断し、かつ、赤外線を透過する紫外線硬化型インキを印刷し、紫外線を照射してこのインキを硬化させることにより、隠蔽層２３を形成する。そして、接着剤を使用して剥離用シート２５を接着することによりこの入場券１を製造することができる。
【００３２】
また、次の方法で製造することも可能である。すなわち、まず基材シート２１に、順次、潜像２２及び剥離層２３を形成する。一方、可視光を遮断し、かつ、赤外線を透過する紫外線硬化型インキを剥離用シート２５に印刷する。そして、潜像２２及び剥離層２３を設けた基材シート２１と、前記紫外線硬化型インキで隠蔽層２４を印刷した剥離用シート２５とを、剥離層２３と隠蔽層２４とが対面するように接着して、前記剥離層２３を隠蔽層２４で覆う。そして、最後に紫外線を照射してこのインキを硬化させることにより、隠蔽層２３を形成することによりこの入場券１を製造することができる。
【００３３】
次に、この入場券１は、次のように使用することができる。すなわち、まず、イベントの入場口で赤外線カメラ等の赤外線情報読み取り装置３により、潜像２２の画像パターンを読み取る（図２参照）。この画像パターンが所定のパターンであれば、この入場券１は真正なものと推定できる。画像パターンが読み取れなかったり、あるいは所定のパターンと異なっていれば、真正な入場券ではない。また、既に剥離用シート２５が剥ぎ取られている入場券は、例えば、無効と取り扱う。
【００３４】
そして、真正な入場券１と確認されたものは、この入場口で剥離用シート２５を剥離する。この剥離工程において、前述のように、隠蔽層２４は二種類の領域に分断される。すなわち、図３に示すように、剥離層２３に重畳した領域の隠蔽層２４１は剥離用シート２５と共に基材シート２１から剥離する。また、剥離層２３に重畳していない領域、すなわち、隠蔽層２４が基材シート２１に接触している領域の隠蔽層２４２は基材シート２１上に残存する。
【００３５】
こうして基材シート２１から剥離された剥離用シート２５を、例えば、入場者に手渡し、剥離用シート２５を剥離除去して残った基材シート２１は、入場窓口で主催者側に残すことができる。
【００３６】
剥離用シート２５上に残存する隠蔽層２４１は剥離層２３の画像パターン、すなわち、潜像２２の画像パターンをそのまま反映しており、しかも、この隠蔽層２４１は可視光を遮断する色彩を有しているから、カメラ等の情報読み取り装置４によって読み取り可能である。このため、入場者に手渡された剥離用シート２５の画像パターンが主催者のＵＲＬを表しているときには、例えばスマートフォンのカメラ等で撮影することにより、主催者のホームページにアクセスすることが可能である。また、この画像パターンが主催者や後援者等のサービスやサービスに係るポイントを表示している場合には、そのサービスを受けるサービス券あるいはポイント券として利用することができる。なお、もちろん、肉眼でこの画像パターンを読み取ることも可能である。この場合にも、イベント入場の記録として残すことができる。
【００３７】
また、剥離用シート２５を剥離除去して残った基材シート２１には、赤外線吸収性の潜像２２とこの周囲の隠蔽層２４２とが残存しているから、赤外線情報読み取り装置３により、潜像２２の画像パターンを読み取ることができる（図５参照）。潜像２２が可視光透過性のインキで構成されている場合には、この潜像２２とこの周囲の隠蔽層２４２との間にコントラストがあるから、肉眼によって潜像２２の画像パターンを読み取ることも可能である。このため、主催者側にこの基材シート２１が残った場合には、イベントの入場者管理に使用して、次のイベントの参考や動向調査の素材として利用することができる。
【００３８】
以上、イベントの入場券を例として本発明を説明したが、その他、任意の用途に利用できることは明らかである。
【符号の説明】
【００３９】
１：入場券
２：潜像形成部  ２１：基材シート    ２２：潜像    ２３：剥離層    ２４：隠蔽層  
２５：剥離用シート
３：赤外線情報読み取り装置
４：情報読み取り装置
【図１】
0006575307.tif 000002
【図２】
0006575307.tif 000003
【図３】
0006575307.tif 000004
【図４】
0006575307.tif 000005
【図５】
0006575307.tif 000006
【図６】
0006575307.tif 000007